(57)【要約】【課題】従来のループアンテナの指向特性、周波数特性や利得を損なうことなく、より低コストで製造できるループアンテナを提供する。【解決手段】環状に形成した枠体２の外周に、所定のピッチＢで該外周をらせん状に巻回する溝７を設け、該溝７に錫メッキ銅線などの安価な導線４を装着し、該導線４と電子機器に接続するリード線５とをはんだ接続して、はんだ接続部分Ａに保護部材６を取付けた。また、枠体２とそれを支持する台部３と保護部材６とを一体的に構成した。【選択図】図１
2005191658.tif 000002
【特許請求の範囲】
【請求項１】
環状に形成した枠体と、２つのヒンジを備えた中間部を介して、この枠体に一体的に連結されてなる台座と、同枠体に装着される導線とを備え、枠体と台座の一方に設けられた係合部と他方に設けられた被係合部とを上記ヒンジを屈曲して係合させて、台座により枠体を支持した状態を維持する相互係合部を有するループアンテナにおいて、枠体の外周部分にらせん状に溝を形成し、この溝に沿って上記導線を所定間隔で巻回した事を特徴とするループアンテナ。
【請求項２】
前記枠体の側面には、電子機器に接続されるリード線と前記導線の端部とを接続する接続部を形成し、この接続部を覆うヒンジ付きの保護部材を同枠体と一体に形成したことを特徴とする請求項１記載のループアンテナ。
【請求項３】
前記保護部材は、前記接続部を覆う位置で前記枠体に対して係合固定可能な係合部を一体に形成したことを特徴とする請求項２記載のループアンテナ。
【請求項４】
前記溝は前記枠体に平行に設けられ、外周の所定区間でのみ傾斜して隣接する溝と接続したことを特徴とする請求項１記載のループアンテナ。
【発明の詳細な説明】
【技術分野】
【０００１】
本発明は、枠体にアンテナ導体を環状に巻回して形成したループアンテナに関する。
【背景技術】
【０００２】
ラジオ放送等を受信する電子機器のアンテナとして、一般的にはバーアンテナが使用されている。しかし、放送局の送信出力が小さい、または受信者の居住する建物が鉄筋であるなどの理由で受信状態が悪い場合も多く、その際には、アンテナを窓際や室外に設置すると受信状態が改善される。
受信機器が小型で携帯可能であれば機器ごとアンテナを移動できるが、システムコンポーネントステレオや据置型の受信機器の場合には、アンテナとともにそれらの機器を窓際や室外に設置することは困難である。
このような場合には、機器にループアンテナを接続して、窓際や室外に設置するとよい。
【０００３】
ループアンテナの構成例としては、環状に形成された枠部と、該枠部にヒンジを介して連結されてモールド成形により一体的に形成されてなる支持部と、該枠部に装着されたアンテナ導体とを備え、ヒンジが屈曲されない状態で支持部が枠部の環内に１枚の板状態として配され、ヒンジが屈曲された状態で枠部が支持部上に立設される係合状態をとる相互係合部が該枠部と該支持部に設けられたループアンテナが提案されている（特許文献１）。
【０００４】
ループアンテナは導体を環状に配置しただけの単純な構造ではあるが、アンテナの指向特性や周波数特性を良好にし、また大きな利得を得るためには、環状に配置した導体で囲む面積や導体の巻き数、および導体間の間隔などを調整する必要がある。
導体を枠部に巻回する際には、導体間の間隔をおいて装着したほうが線間容量が低くなって、自己共振周波数が高くなるなどアンテナの特性が良くなることは知られている。このため、従来は、モールド成形により形成した枠部の外周を凹状に形成し、該凹状部に適切な太さのビニール被覆線を嵌込むことで一定の導体間隔と巻数を得ていた。また、枠体と支持部を一体的に形成するため成形型が１つで足り、製造コストが比較的安価であったし、相互係合部が設けられているため組立てが容易に行えた。
【０００５】
一方、ビニール被覆線は多芯線に被覆をしたもので比較的高価である。さらに、枠部に巻回するビニール被覆線はかなりの長さとなるため、ループアンテナに占めるビニール被覆線のコストの割合は非常に高くなっており、低コスト化の妨げとなっていた。
【０００６】
しかし、コストの安い単芯線材を用いてアンテナ特性を維持するべく所定の間隔で巻回するためには、その間隔を保持するための絶縁手段または間隔保持手段を要することから、そのような追加部材と組み付け処理工数とにより、全体として逆にコストアップの要因となるおそれがある。さらに、リード線の接続部の保護についても相当の対処策が必要となる。
【特許文献１】実公平７−４１２０５
【発明の開示】
【発明が解決しようとする課題】
【０００７】
本発明の目的はアンテナの指向特性、周波数特性や利得を損なうことなく、さらに従来のループアンテナの組立て等の簡便さを保ったまま、単芯導線を用いてより低コストで製造できるループアンテナを提供することである。
【課題を解決するための手段】
【０００８】
上記課題を解決するために、請求項１記載のごとく、環状に形成した枠体と、２つのヒンジを備えた中間部を介して、この枠体に一体的に連結されてなる台座と、同枠体に装着される導線とを備え、枠体と台座の一方に設けられた係合部と他方に設けられた被係合部とを上記ヒンジを屈曲して係合させて、台座により枠体を支持した状態を維持する相互係合部を有するループアンテナにおいて、枠体の外周部分にらせん状に溝を形成し、この溝に沿って上記導線を所定間隔で巻回した事を特徴とするループアンテナ。
【０００９】
請求項２記載のごとく、前記枠体の側面には、電子機器に接続されるリード線と前記導線の端部とを接続する接続部を形成し、この接続部を覆うヒンジ付きの保護部材を同枠体と一体に形成したことを特徴とする請求項１記載のループアンテナ。
【００１０】
請求項３記載のごとく、前記保護部材は、前記接続部を覆う位置で前記枠体に対して係合固定可能な係合部を一体に形成したことを特徴とする請求項２記載のループアンテナ。
【００１１】
請求項４記載のごとく、前記溝は前記枠体に平行に設けられ、外周の所定区間でのみ傾斜して隣接する溝と接続したことを特徴とする請求項１記載のループアンテナ。
【発明の効果】
【００１２】
請求項１記載のごとく、環状に形成した枠体の外周部分に、枠体の外周部分にらせん状に溝を形成したことで、絶縁被覆の無い単芯線材を所定間隔で絶縁保持することができる。したがって、特段の保持部材等を要することなく、単純な巻き付け作業により、アンテナの特性や利得を損なわずに、より安価な単芯線材等を導線として用い、製造コストの低減が図れる。
【００１３】
請求項２記載のごとく、枠体の側面に、電子機器に接続されるリード線と前記導線の端部とを接続する接続部を形成し、保護部材をヒンジを介して枠体と一体的に形成したことで、１つの成形型で足りるため製造工程が簡易で、さらに、この保護部材により接続部を覆って保護し、ほこり等で導線が短絡することや、導線が断線することを防ぐ。
【００１４】
請求項３記載のごとく、接続部を覆う位置で枠体に係合固定可能な係合部を保護部材と一体に形成したことで、特段の覆着部材を要することなく、また特別な組付け処理を要せずにヒンジを屈曲させるだけで組立てを容易に行える。
【００１５】
請求項４記載のごとく、枠体の外周に平行に溝を設け、該外周の所定区間でのみ溝を傾斜させて隣接する溝と接続したことで、成形型が簡単なもので足り、成形時の型抜きが容易なため製造工程が簡易化でき、また製造コストの低減が図れる。
【発明を実施するための最良の形態】
【００１６】
以下、本発明に係るループアンテナの実施例を図を参照して説明する。図１は本発明に係るループアンテナの実施例を示す斜視図である。
ループアンテナ１は、枠体２と台部３と導線４と保護部材６により構成される。台部３及び保護部材６はヒンジを介して枠体２の内周側縁に連結され、これら枠体２と台部３と保護部材６はモールド成形により一体的に形成されている。
【００１７】
枠体２は環状であって、その外周は凹状に形成されている。該凹状部にらせん状に溝７を設ける。この溝７は枠体２の外周方向に平行に設けられ、図２に示すように破線で挟まれた傾斜区間Ｃでのみ傾斜して、隣接する溝７と接続される。隣接する溝７と溝７とは所定の間隔（ピッチＢ）に形成されており、例えば、ピッチＢの間隔は１．５ｍｍ程度で、溝７の幅は０．５ｍｍ程度である。
【００１８】
台部３は中間部１０と台座１１により構成されている。第１ヒンジ１３には中間部１０と保護部材６が連結される。中間部１０はコの字型の板状体で保護部材６を囲むように２本の腕部の先端部で枠体２の内周側縁に連結される。保護部材６の一側辺部には係合突起８を設け、対向する他側辺部には係合突起８と切欠き１９を設ける。第１ヒンジ１３に連結された中間部１０の他側縁部には台座１１を第２ヒンジ１４を介して連結する。
【００１９】
第１ヒンジ１３を設けた内周の一側縁に対応する外周の側縁部には巻付け部１２と係合爪部１７とを備えている。係合爪部１７の略中央の左右両側２箇所に切込みを設け、この切込みに板状の巻付け部１２を突設する。この巻付け部１２の左右には受穴部９が設けられ、保護部材６に設けられた係合突起８が同受穴部９に係合する。また、係合爪部１７の被係合部となる受溝部１８を台座１１の対応する箇所に設ける。
【００２０】
図３は図１中のＡ、つまりはんだ接続部Ａの要部拡大図である。前記巻付け部１２には導線４の始端部と終端部、及び電子機器に接続されるリード線５を巻付ける。導線４の絶縁被膜ははんだ接続をする前に剥がしておく。本実施例においてリード線５にはシールド線を用いており、シールド線の被覆を剥がして芯線１５と網線１６とをそれぞれ巻付け部１２に巻き付けてはんだ接続する。
【００２１】
保護部材６は枠体２に第１ヒンジ１３を介して一体的に連結される。第１ヒンジ１３を屈曲して係合突起８を受穴部９に係合させ、保護部材６をはんだ接続部Ａに覆着してはんだ接続部Ａを保護する。リード線５は切欠き１９を通して内部に引込まれる。
【００２２】
図４に示すように、第１ヒンジ１３及び第２ヒンジ１４のそれぞれが屈曲されない状態では台部３及び保護部材６は枠体２の環内に１枚の板状体として突設されており、これら枠体２、台部３、保護部材６、第１ヒンジ１３、第２ヒンジ１４はモールド成形により一体的に形成される。組立ての際には第１ヒンジ１３、及び第２ヒンジ１４を屈曲させる。
導線４を巻回した枠体２を台部３により立設した状態は、図５に示すように、第１ヒンジ１３及び第２ヒンジ１４を屈曲させて、枠体２に連結された係合爪部１７を台座１１に設けられた受溝部１８に係合させた状態において維持される。
【００２３】
所定の間隔（ピッチＢ）で枠体２の外周をらせん状に巻回する溝７を設けたことで、従来用いていたビニール被覆線よりも安価な、例えば錫メッキ銅線などを導線４に用いても所定の導体間隔と巻数が得られ、ループアンテナ１の特性や利得を損なうことなく、製造コストの大幅な低減が図れる。
また、溝７の傾斜区間Ｃを枠体２外周の一定の区間としたことで、成形時の型抜きが楽に行えるとともに成形型が比較的簡単なもので足りるため、製造工程の簡易化及び製造コストの低減が図れる。
【００２４】
枠体２の側面にはんだ接続部Ａを設け、該はんだ接続部Ａに対応する枠体２の内周側縁に保護部材６を連結し、該保護部材６に係合突起８を設け、枠体２の側面に受穴部９を設けたことにより、該保護部材６をはんだ接続部Ａに覆着して保護し、ほこり等で導線４が短絡することや、衝撃等によって導線４が断線することを防ぐことができるし、さらに、はんだ接続部Ａを外部から遮蔽して見えなくすることで外観が優れたものになる。
【００２５】
枠体２、台部３、第１ヒンジ１３及び第２ヒンジ１４に加えて保護部材６をモールド成形により一体的に形成しており、成形型が１個で、しかも比較的簡単なもので足りるため製造工程の簡易化とともに製造コストの低減が図れる。また、相互係合部を有するため、組立てにドライバやネジなどの工具を必要とせず、簡便である。
【図面の簡単な説明】
【００２６】
【図１】本発明に係るループアンテナの実施例を示す斜視図
【図２】実施例の側面図
【図３】図１中のＡ部拡大図
【図４】保護部材を装着した状態を示す斜視図
【図５】台座により枠体を支持した状態を示す側面断面図
【符号の説明】
【００２７】
１    ループアンテナ
２    枠体
３    台部
４    導線
５    リード線
６    保護部材
７    溝
８    係合突起
９    受穴部
１０  中間部
１１  台座
１２  巻付け部
１３  第１ヒンジ
１４  第２ヒンジ
１５  芯線
１６  網線
１７  係合爪部
１８  受溝部
１９  切欠き
Ａ    はんだ接続部
Ｂ    ピッチ
Ｃ    傾斜区間
【図１】
2005191658.tif 000003
【図２】
2005191658.tif 000004
【図３】
2005191658.tif 000005
【図４】
2005191658.tif 000006
【図５】
2005191658.tif 000007